(57)【特許請求の範囲】
【請求項１】
一対の支柱間に回動可能に支持された円筒体と、該円筒体の接線方向に延設された複数の羽根体と、前記支柱が固定された第１の基板と、該第１の基板に対して蝶板で接続された第２の基板と、該第２の基板の下面に固定され且つクランプボルトを有する断面略Ｕ字状のクランプ部材とから構成され、前記第１の基板と第２の基板とが着脱可能な固定ボルト等の止着部材を介して固定されたことを特徴とする鳥害防止装置。
【請求項２】
前記複数の羽根体には、その表面に反射シートが設けられていることを特徴とする請求項１記載の鳥害防止装置。
【請求項３】
前記第１の基板と第２の基板とは、蝶番で結合されており、固定ボルト等の止着部材を外すことにより、円筒及び羽根体部を倒すことができることを特徴とする請求項１記載の鳥害防止装置。
【発明の詳細な説明】
【０００１】
【発明の属する技術分野】
本発明は、建物や鉄塔に鳥が止まってフンにより周囲を汚したり、鉄塔や鉄柱の架線金具や碍子付近に止まることによる瞬時地絡事故や、営巣による地絡事故が発生するのを防止する鳥害防止装置に関するものである。
【０００２】
【従来の技術】
一般に、この種の鳥害防止対策、特に営鳥を防止するために、ａ．塔体にテグスを張る、ｂ．塔体に針金を立てる、ｃ．塔体に臭い付きの磁石を立てる等の手段が実行されている。
【０００３】
【発明が解決しようとする課題】
ところが、従来の塔体にテグスを張る方法や、塔体に針金を立てる方法或いは、塔体に臭い付きの磁石を立てると云った鳥害防止対策では、充分な鳥害防止の効果が得られなかった。また、鉄塔に鳥害防止装置を取り付けた場合、鉄塔で作業者が別の作業を行う際に邪魔になると云う欠点が存在した。
【０００４】
本発明の目的は、従来のこのような欠点に鑑み、カラス等の害鳥が鉄塔や鉄柱に止まったり、営巣するのを防止すると共に、作業者の邪魔にならない鳥害防止装置を提供することにある。
【０００５】
【課題を解決するための手段】
上記目的を達成するために、本発明に係る鳥害防止装置の要旨とするところは、一対の支柱間に回動可能に支持された円筒体と、該円筒体の接線方向に延設された複数の羽根体と、前記支柱が固定された第１の基板と、該第１の基板に対して蝶板で接続された第２の基板と、該第２の基板の下面に固定され且つクランプボルトを有する断面略Ｕ字状のクランプ部材とから構成され、前記第１の基板と第２の基板とが着脱可能な固定ボルト等の止着部材を介して固定されたことを特徴とするものである。
【０００６】
前記複数の羽根体には、その表面に反射シートが設けられていることを特徴とするものである。また、前記第１の基板と第２の基板とは、蝶番で結合されており、固定ボルト等の止着部材を外すことにより、円筒及び羽根体部を倒すことができることを特徴とするものである。
【０００７】
本発明に係る鳥害防止装置は、羽根体に風が当たって円筒体を回転させることにより、鳥が止まるのを防止すると共に、固定ボルト等の止着部材を外すことにより円筒及び羽根体部を倒して作業者の邪魔になるのを防止できる。
【０００８】
【発明の実施の形態】
以下において、本発明の実施例につき、図面を参照しつつ説明する。図１は、本発明の一実施例である鳥害防止装置を示す全体斜視図である。ここで、鳥害防止装置１０は、一対の支柱１１，１１間に回動可能に円筒体１２が支持されている。円筒体１２は、軸１３で円滑に回転するように、軸との接触部に図外のベアリング等が配設されている。
【０００９】
羽根体１４は、円筒体１２の接線方向に軸線に対して対称となるように複数延設されている。羽根体１４は、円筒体１２と略等い幅を有しており、平板状に形成されている。また、羽根体１４の付け根部分には、断面三角形状の補強部材１５が配設されている。更に、羽根体１４の表面部分には、反射シート１６が貼着されている。
【００１０】
この反射シート１６は、例えば銀色または黄色等の目立つ色彩で着色されており、羽根体１４が回転した際に、太陽光等を反射するように構成されている。また、反射シート１６の貼着の仕方として、反射の強弱を付けるために、例えば、異なる色彩のものを複数の羽根体１４に対して交互に配設するとか、或いは、羽根体１４に対して部分的に分断した反射シート１６を貼着することができる。そして、羽根体１４は、円筒体１２に対して接線方向に延設されているので、風を受けた時に矢印Ａ方向に回転する。
【００１１】
支柱１１，１１は、第１の基板１７の両端に垂直に固定されている。また、第１の基板１７と円筒体１２の間には、補強の為の梁１８が配設されている。更に、支柱１１、円筒体１２、羽根体１４、第１の基板１７、梁１８等は、耐候性の塩化ビニール等から構成されている。
【００１２】
第１の基板１７とその下面に平行配置された第２の基板１９は、長辺の一端が蝶板２０で接続されている。したがって、第１の基板１７及びこれに固定された支柱１１、円筒体１２、羽根体１４等は、蝶板２０を中心に回動し図２に想像線で示すように倒すことができる。
【００１３】
第２の基板１９の蝶板２０が配置された側と逆端には、立上り板２１が固定されており、この立上り板２１に蝶ナット付き固定ボルト２２が螺合されている。図２に破線で示すように、固定ボルト２２の先端は、第１の基板１７の穿設されたネジ穴２３まで達する。このため、固定ボルト２２によって第２の基板１９に対して第１の基板１７及び支柱１１、円筒体１２等を倒れないように固定することができる。
【００１４】
また、第２の基板１９の下面には、断面略Ｕ字状のクランプ部材２４が固定されている。クランプ部材２４の内側上面には、凹凸２４ａが形成されており、鉄塔等にクランプする際に滑り難くしている。また、クランプ部材２４の凹凸２４ａに対向した位置（下面）には、クランプボルト２５が螺合されており、このクランプボルト２５を締めることにより、鉄塔等に固定することができる。
【００１５】
次に、本発明の鳥害防止装置の使用手順について説明する。先ず、クランプ部材２４のクランプボルト２５を緩めて、鉄塔の吊材等に装着した後、クランプボルト２５を締めて固定する。図４に示すように鉄塔の各吊材の先端近傍に取り付ける。取り付る数は、鳥の止まりそうな位置に適宜な数とする。
【００１６】
取り付けられた鳥害防止装置１０は、羽根体１４が風を受けると一定方向に回転し、しかも風の強弱によって不規則な回転、即ち、不規則な動きが生じ、その不規則な動きに伴って羽根体１４の表面に貼着された反射シート１６が太陽光等を不規則に反射する。したがって、不規則な動きと不規則な反射光とによってカラス等の害鳥を驚かせ、鉄塔に止まるのを防止できる。
【００１７】
また、鉄塔に登って作業をする際には固定ボルト２２を緩めて、支柱１１を倒すことにより円筒体１２及び羽根体１４等が倒れて高さが低くなるので、作業者の邪魔になることがない（図２参照）。更に、鳥害防止装置１０は、耐候性の塩化ビニール等から構成されているので、錆びたり太陽光で劣化する虞がない。
【００１８】
尚、本発明に係る鳥害防止装置は、上記実施例に限定されるものではなく、その他種々の設計変形が可能である。例えば、本明細書にて言及している止着部材には、本実施例で示した固定ボルトだけではなく、金属線等による巻回手段、強力な磁石等を用いた吸着手段、嵌着板等を用いた嵌合手段等の全ての止着手段をも包摂するものである。
【００１９】
【発明の効果】
以上説明したように、本発明に係る鳥害防止装置は、一対の支柱間に回動可能に支持された円筒体と、該円筒体の接線方向に延設された複数の羽根体と、前記支柱が固定された第１の基板と、該第１の基板に対して蝶板で接続された第２の基板と、該第２の基板の下面に固定され且つクランプボルトを有する断面略Ｕ字状のクランプ部材とから構成され、前記第１の基板と第２の基板とが着脱可能な固定ボルト等の止着部材を介して固定されているので、羽根体が風を受けて回転して、構築物、特に鉄塔の架線金具や碍子付近に鳥が止まることを防止できる。したがって、瞬時地絡事故や鳥の巣、特にカラスの巣の中に含まれる金属線等による漏電事故や地絡事故を未然に防止することができる。
【００２０】
また、前記第１の基板と第２の基板とは、蝶番で結合されており、固定ボルト等の止着部材を外すことにより、第１の基板に支柱を介して取り付けられた円筒及び羽根体部を倒すことができるので、作業者が鉄塔で作業する際に邪魔になることがない。
【図面の簡単な説明】
【図１】本発明の一実施例である鳥害防止装置を示す全体斜視図である。
【図２】同鳥害防止装置の側面図である。
【図３】同鳥害防止装置の正面図である。
【図４】同鳥害防止装置を鉄塔に取り付けた状態を示す説明図である。
【符号の説明】
１０          鳥害防止装置
１１            支柱
１２                    円筒体
１３                    軸
１４                    羽根体
１５                    補強部材
１６                    反射シート
１７                    第１の基板
１８                    梁
１９                    第２の基板
２０          蝶板
２１                    立上り板
２２                    固定ボルト
２３                    ネジ穴
２４                    クランプ部材
２５                  クランプボルト
【図１】
0003584167.tif 000002
【図２】
0003584167.tif 000003
【図３】
0003584167.tif 000004
【図４】
0003584167.tif 000005